(57)【要約】【課題】遮煙部材の摩耗などによる異常を診断することができるエレベーターの遮煙ドア診断装置を提供すること。【解決手段】各階乗場ドア１と出入口周縁部２、３間に遮煙部材５ａ〜５ｃを設け、乗場ドア１と出入り口周縁部２、３間の隙間を塞ぐ遮煙機能を有するエレベーターの遮煙ドアにおいて、ドアモータトルク量を測定するトルク量測定回路３１と、前記トルク量の初期値を記憶する初期値記憶回路３３と、前記トルク量の計測値を前記初期値と比較する比較判定回路３４と、この比較手段３４により得られた結果に基づいて前記遮煙部材の良否を判断するものである。【選択図】図１
2005272099.tif 000002
【特許請求の範囲】
【請求項１】
各階乗場ドアと出入り口周縁部間に遮煙部材を設け、乗場ドアと出入口周縁部間の隙間を塞ぐ遮煙機能を有するエレベーターの遮煙ドアにおいて、
ドアモータトルク量を測定するトルク量測定回路と、前記トルク量の初期値を記憶する初期値記憶回路と、前記トルク量の計測値を前記初期値と比較する比較判定回路と、この比較手段により得られた結果に基づいて前記遮煙部材の良否を判断する判断手段とを設けたことを特徴とするエレベーターの遮煙ドア診断装置。
【請求項２】
請求項１において、前記初期値記憶回路に記憶されたトルク量は、エレベーター設置時に測定したトルク量であることを特徴とするエレベーターの遮煙ドア診断装置。
【請求項３】
請求項１において、前記初期値記憶回路に記憶されたトルク量は、ドアの調整を行ったとき、調整後のトルク量に変更することを特徴とするエレベーターの遮煙ドア診断装置。
【請求項４】
請求項１において、前記初期値記憶回路に記憶されたトルク量は、各階床毎に設定されていることを特徴とするエレベーターの遮煙ドア診断装置。
【請求項５】
請求項１において、前記比較手段により比較されるトルク量は、前記ドアの開閉毎に読み出されるトルク量であることを特徴とするエレベーターの遮煙ドア診断装置。
【請求項６】
請求項１において、前記比較手段により比較されるトルク量は、前記ドアの所定回数の開閉動作の各トルク量の平均値であることを特徴とするエレベーターの遮煙ドア診断装置。
【請求項７】
請求項１において、ドアモータのトルク指令信号とトルク帰還信号の差がある基準値を超えた時のみ、前記比較手段により、前記遮煙部材の良否を判断することを特徴とするエレベーターの遮煙ドア診断装置。
【発明の詳細な説明】
【技術分野】
【０００１】
本発明は、エレベーターのドアの遮煙部材が異常かどうかを診断するエレベーターの遮煙ドア診断装置に関する。
【背景技術】
【０００２】
まず、図４乃至図６によってこの種のエレベーターの遮煙ドア装置の構造について説明する。図４はエレベーターの遮煙ドア装置の戸の周囲の正面図で、図５は図４の切断線Ｄ−Ｄによる拡大横断面図、図６は図４の切断線Ｅ−Ｅによる拡大縦断面図である。図において、１はエレベーター乗場の両側に開く横引き戸、２はエレベーターかごに通じる出入り口縦枠、３はエレベーターかごに通じる出入り口上枠、４はエレベーター乗場の横引き戸１をガイドしている敷居、５ａはエレベーター乗場の横引き戸１の側部に設けて出入り口枠２との隙間を塞ぐ遮煙部材、５ｂはエレベーター乗場の横引き戸１と出入り口上枠３との間の隙間を塞ぐ遮煙部材、５ｃは敷居４の溝４ａに挿入されて隙間を塞ぐ遮煙部材である。６は夫々の遮煙部材５ａ，５ｂ，５ｃを取付けるネジである。このように構成したエレベーターの遮煙ドア診断装置は、エレベーター乗場の横引き戸１の周囲に設けた遮煙部材５ａ，５ｂ，５ｃによって、戸閉時に出入り口縦枠２、出入り口上枠３、敷居４との間の隙間を塞ぐことにより、建物に火災が発生したときでも、エレベーターの昇降路を通じて他の階へ煙が侵入しないようにしている。
【特許文献１】特開昭６３−１１２３８９号公報
【発明の開示】
【発明が解決しようとする課題】
【０００３】
このエレベーターの遮煙ドア装置は、エレベーターの横引き戸１の上下部に設けた出入り口上枠３との間の隙間を塞ぐ遮煙部材５ｂと、敷居４の溝４ａに挿入されて隙間を塞ぐ遮煙部材５ｃは、常に、出入り口上枠３または敷居４に接触しており、また、側部に設けた遮煙部材５ａも戸閉終端付近で出入り口縦枠２と一定以上の距離で接触するため、エレベーターの乗場の横引き戸１の開閉時には戸開閉装置の負荷が増加したり、摺動音が発生したりすることがある。当然ながら、横引き戸１の開閉の摺動により、それだけ遮煙部材５ａ，５ｂ，５ｃの摩耗が発生する。従って、遮煙部材５ａ，５ｂ，５ｃの摩耗の進捗度合いを把握していないと、いざ火災が発生した時には、遮煙できないことになる。そこで、本発明は、遮煙部材５ａ，５ｂ，５ｃの摩耗などによる異常を診断することができるエレベーターの遮煙ドア診断装置を提供することにある。
【課題を解決するための手段】
【０００４】
請求項１の発明に係るエレベーターの遮煙ドア診断装置は、各階乗場ドアと出入口周縁部間に遮煙部材を設け、乗場ドアと出入り口周縁部間の隙間を塞ぐ遮煙機能を有するエレベーターの遮煙ドアにおいて、ドアモータトルク量を測定するトルク量測定回路と、前記トルク量の初期値を記憶する初期値記憶回路と、前記トルク量の計測値を前記初期値と比較する比較判定回路と、この比較手段により得られた結果に基づいて前記遮煙部材の良否を遮断するものである。
【０００５】
また、請求項２の発明にかかるエレベーターの遮煙ドア診断装置は、請求項１において、前記初期値記憶回路に記憶されたトルク量は、エレベーター設置時に測定したトルク量として、前記遮煙部材の良否を判断するものである。
【０００６】
請求項３の発明にかかるエレベーターの遮煙ドア診断装置は、請求項１において、前記初期値記憶回路に記憶されたトルク量は、ドアの調整を行ったとき、調整後のトルク量に変更して、前記遮煙部材の良否を判断するものである。
【０００７】
請求項４の発明にかかるエレベーターの遮煙ドア診断装置は、請求項１において、前記初期値記憶回路に記憶されたトルク量は、各階床毎に設定して、前記遮煙部材の良否を判断するものである。
【０００８】
請求項５の発明にかかるエレベーターの遮煙ドア診断装置は、請求項１において、前記比較手段により比較されるトルク量は、前記ドアの開閉毎に読み出されるトルク量として、前記遮煙部材の良否を判断するものである。
【０００９】
請求項６の発明にかかるエレベーターの遮煙ドア診断装置は、請求項１において、前記比較手段により比較されるトルク量は、前記ドアの所定回数の開閉動作の各トルク量の平均値として、前記遮煙部材の良否を判断するものである。
【００１０】
請求項７の発明にかかるエレベーターの遮煙ドア診断装置は、請求項１において、ドアモータのトルク指令信号とトルク帰還信号の差がある基準値を超えた時のみ、前記比較手段により、前記遮煙部材の要否を判断するものである。
【発明の効果】
【００１１】
請求項１の発明のエレベーターの遮煙ドア診断装置は、各階乗場ドアと出入口周縁部間に遮煙部材を設け、乗場ドアと出入り口周縁部間の隙間を塞ぐ遮煙機能を有するエレベーターの遮煙ドアにおいて、ドアモータトルク量を測定するトルク量測定回路と、前記トルク量の初期値を記憶する初期値記憶回路と、前記トルク量の計測値を前記初期値と比較する比較判定回路と、この比較手段により得られた結果に基づいて前記遮煙部材の良否を判断するものである。従って、遮煙部材が摩耗したり、外れたりした場合は、乗場ドアと出入り口周縁部の摩擦力が変化するので、トルクも変化し、遮煙部材の良否を判断することが出来、いざ火災発生時には、確実に遮煙することが出来る。
【００１２】
また、請求項２の発明のエレベーターの遮煙ドア診断装置は、請求項１において、前記初期値記憶回路に記憶されたトルク量は、エレベーター設置時に測定したトルク量として、前記遮煙部材の良否を判断するものである。従って、エレベーター設置当初に対して、遮煙部材が摩耗したり、外れたりした場合は、乗場ドアと出入り口周縁部の摩擦力が変化するので、トルクも変化し、遮煙部材の良否を判断することが出来、いざ火災発生時には、確実に遮煙することが出来る。
【００１３】
請求項３の発明のエレベーターの遮煙ドア診断装置は、請求項１において、前記初期値記憶回路に記憶されたトルク量は、ドアの調整を行ったとき、調整後のトルク量に変更して、前記遮煙部材の良否を判断するものである。従って、調整することによってトルク量が変化しても、遮煙部材が摩耗したり、外れたりした場合は、乗場ドアと出入り口周縁部の摩擦力が変化するので、トルクも変化し、遮煙部材の良否を判断することが出来、いざ火災発生時には、確実に遮煙することが出来る。
【００１４】
請求項４の発明のエレベーターの遮煙ドア診断装置は、請求項１において、前記初期値記憶回路に記憶されたトルク量は、各階床毎に設定して、前記遮煙部材の良否を判断するものである。従って、各階昇毎に遮煙部材が摩耗したり、外れたりした場合は、乗場ドアと出入り口周縁部の摩擦力が変化するので、トルクも変化し、遮煙部材の良否を判断することが出来、いざ火災発生時には、確実に遮煙することが出来る。
【００１５】
請求項５の発明のエレベーターの遮煙ドア診断装置は、請求項１において、前記比較手段により比較されるトルク量は、前記ドアの開閉毎に読み出されるトルク量として、前記遮煙部材の良否を判断するものである。従って、ドアの開閉毎にトルク量を計測するので、遮煙部材が摩耗したり、外れたりした場合は、乗場ドアと出入り口周縁部の摩擦力が変化するので、トルクも変化し、遮煙部材の良否を判断することが出来、いざ火災発生時には、確実に遮煙することが出来る。
【００１６】
請求項６の発明のエレベーターの遮煙ドア診断装置は、請求項１において、前記比較手段により比較されるトルク量は、前記ドアの所定回数の開閉動作の各トルク量の平均値として、前記遮煙部材の良否を判断するものである。従って、ドアの所定回数の開閉動作の各トルク量の平均値を測定するので、遮煙部材が摩耗したり、外れたりした場合は、乗場ドアと出入り口周縁部の摩擦力が変化するので、トルクも変化し、遮煙部材の良否を判断することが出来、いざ火災発生時には、確実に遮煙することが出来る。
【００１７】
請求項７の発明のエレベーターの遮煙ドア診断装置は、請求項１において、ドアモータのトルク指令信号とトルク帰還信号の差がある基準値を超えた時のみ、前記比較手段により、前記遮煙部材の良否を判断するものである。従って、ドアモータのトルク指令信号とトルク帰還信号の差がある基準値を超えたことを検出するので、遮煙部材が摩耗したり、外れたりした場合は、乗場ドアと出入り口周縁部の摩擦力が変化するので、トルクも変化し、遮煙部材の良否を判断することが出来、いざ火災発生時には、確実に遮煙することが出来る。
【発明を実施するための最良の形態】
【００１８】
以下、本発明による実施形態について説明する。
【００１９】
図１は、本発明の実施形態に係るエレベーターの遮煙ドア診断装置のブロック図である。図１において、１１はドアモータで、ドアモータ１１はドアモータトルク指令信号発信部２１からの信号により、トルクが与えられ、ドアを開閉する。また、ドアモータ１１からのドアモータトルク帰還信号はドアモータトルク帰還信号受信部２２で受信する。すなわち、ドアモータトルク指令発信部２１からの指令によりドアモータ１１はドアを開閉し、そのときのトルク量はドアモータトルク帰還信号受信部２２で受信する。３０は本実施形態によるエレベーターの遮煙ドア診断装置で、この遮煙ドア診断装置３０には、ドアモータのトルク量を計測するトルク量計測回路３１と、このトルク量を記憶する第一の記憶回路３２と、トルク量の初期値を記憶する初期値記憶回路３３と、初期値トルク量と計測したトルクを比較する比較判定回路３４と、初期値のトルクと計測したトルクを比較した結果を記憶する第二の記憶回路３５が備えられている。なお、トルク量計測回路３１で計測するトルク量は、ドアモータトルク帰還信号受信部２２で受信したトルク帰還信号からトルク量に換算したものである。
【００２０】
次に、本実施形態の動作を図２および図３に示すドアモータトルク量と時間との関係のグラフを参照にしながら説明する。本実施形態では、正常なドアが開閉するときは、図２に示す時間経過に従って、ドアモータトルク量が変化する。すなわち、ドアが開くときは、ドアの閉じ端ではトルクが増加し、その後トルクは低い状態で一定となり、ドアの開き端では急激にトルクは減少する。逆にドアが閉じるときは、ドアの開き端ではトルクが増加し、その後低い状態でトルクは一定となり、ドアの閉じ端では急激にトルクは減少する。このとき、正常なドアの場合は、トルクの増加時、減少時ともになめらかな増加あるいは減少となる。また、中間部ではトルクは変化しない。一方、遮煙部材が摩耗したり、外れたりしている異常なドアが開閉するときは、トルクの増加時（減少時）にはなめらかな増加（減少）とはならない。また、中間部でもトルクは変化する。こらは、遮煙部材が摩耗して薄くなることにより、横引き戸と出入り口上枠や敷居との摩擦力が減り、トルクが減少したり、遮煙部材が外れて途中でひっかかり、摩擦力が増加することにより、トルクが増加するためである。このように、遮煙部材が摩耗したり、外れたりしている異常なドアは、横引き戸と出入り口上枠や敷居との摩擦力が変化するために正常なドアのトルクとは異なる。従って、このトルク量を正常なドアの場合と比較することにより、異常なドアを検出することが可能となる。
【００２１】
なお、トルクは遮煙材の磨耗だけではなく、敷居４の溝４ａなどにゴミなどが詰まった場合でも変化することがあるので、トルクが変化したから遮煙材の磨耗と決めてかからずに敷居４の溝４ａなどをまずは点検する必要がある。
【００２２】
この場合、一回の戸開閉動作中に、ゴミにドアが当たって、何度も反転動作をするため、ゴミ詰まりであることを判定できる。よってこの判定が出来た場合は、遮煙材の摩耗と判定しないこととする。
【００２３】
ドアモータトルク量の初期値は、エレベーター設置時すなわち遮煙部材が正常な状態で記憶することが望ましい。また、ドアの各部を調整や部品を交換した場合にもトルクが変化することがあるので、初期値を記憶し直すことも有効である。さらに初期値は各階床毎に記憶した方が良い。これは、各階床毎にドアの仕様が異なることがあるためである。初期値は、１回のドアの開閉のトルクを記憶するよりも、何回かの開閉の平均のトルクを記憶した方が精度が向上する。
【００２４】
本実施形態のエレベーターの遮煙ドア診断装置による診断結果は、第二の記憶回路に記憶されているので、定期的に表示または印字し、専門技術者に知らせる。特に、トルク量が初期値に対して大幅に変化した場合は、電話回線経由で発報してセンター（図示せず）知らせて、早急な対応することも出来る。
【図面の簡単な説明】
【００２５】
【図１】本発明の実施形態に係るエレベーターの遮煙ドア診断装置のブロック図である。
【図２】本発明の実施形態における正常なドアの開閉動作時のドアモータトルク量と時間の関係を示すグラフである。
【図３】本発明の実施形態における異常なドアの開閉動作時のドアモータトルク量と時間の関係を示すグラフである。
【図４】本発明の実施形態におけるエレベーターの遮煙ドア装置の戸の周囲の正面図である。
【図５】図１の切断線Ｄ−Ｄによる拡大横断面図である。
【図６】図１の切断面Ｅ−Ｅによる拡大横断面図である。
【符号の説明】
【００２６】
１  横引き戸ドア
２  出入り口縦枠
３  出入り口上枠
４  敷居
４ａ  溝
５ａ  側部遮煙部材
５ｂ  上部遮煙部材
５ｃ  下部遮煙部材
６  ネジ
１１  ドアモータ
２１  ドアモータトルク指令信号発信部
２２  ドアモータトルク帰還信号受信部
３０  エレベーターの遮煙ドア診断装置
３１  トルク量計測回路
３２  記憶回路
３３  初期値記憶回路
３４  比較判定回路
３５  記憶回路
【図１】
2005272099.tif 000003
【図２】
2005272099.tif 000004
【図３】
2005272099.tif 000005
【図４】
2005272099.tif 000006
【図５】
2005272099.tif 000007
【図６】
2005272099.tif 000008